(57)【特許請求の範囲】
【請求項１】
バルクケースから供給されるチップ部品を移送路を通して電子部品装着装置ヘの部品供給部に移送するバルクカセットであって、
上記バルクケースからチップ部品が上記移送路に供給される供給部における部品流れ方向の上手側に位置した部品溜り室内に上端が固定されると共に他端が自由端とされた垂下体を設けた
ことを特徴とするバルクカセット。
【請求項２】
上記垂下体が上記部品溜り室内に複数個形成された
ことを特徴とする請求項１に記載のバルクカセット。
【請求項３】
上記垂下体が所定形状の部材を連結した連鎖状部材である
ことを特徴とする請求項１に記載のバルクカセット。
【請求項４】
上記垂下体が所定形状の部材を連結した連鎖状部材である
ことを特徴とする請求項２に記載のバルクカセット。
【請求項５】
上記垂下体が所定形状が瓢箪型である
ことを特徴とする請求項３に記載のバルクカセット。
【請求項６】
上記垂下体が所定形状が瓢箪型である
ことを特徴とする請求項４に記載のバルクカセット。
【発明の詳細な説明】
【０００１】
【産業上の利用分野】
本発明は新規なバルクカセットに関する。詳しくは、バルクケースから供給されるチップ部品を電子部品装着装置に供給するためのバルクカセットにおいて、チップ部品を供給するためのエアーによってチップ部品がかくはんされる時に、バルクカセット内の一部のチップ部品に対する不必要なかくはんを防止することによりチップ部品同士の接触のための微小粒子の発生を阻止し、該微小粒子がチップ部品に付着することによるチップ部品の黒化を未然に防止し、延いてはチップ部品のプリント基板への半田付け不良を防止するようにしたバルクカセットを提供しようとするものである。
【０００２】
【従来の技術】
プリント基板にチップ部品を実装する高速チップ部品装着機が知られている。これを図８乃至図１１によって簡単に説明する。
【０００３】
高速チップ部品装着機ａは、そのほゞ中央部にバルク化された、即ち、荷作りされていない状態のチップ部品をプリント基板に供給する部品供給装置ｂを備えている。部品供給装置ｂには移動ベースｃが備えられ、該移動ベースｃには多数のバルクカセットｄ、ｄ、・・・が移動ベースｃの移動方向に配列されている（図８、図９参照）。
【０００４】
バルクカセットｄは既知のものであり、その前端部の図示しない係合部を移動ベースｃの前端部に係合すると共にその後端部に設けられたクランプ爪ｅをクランプレバーｆの操作によって移動ベースｃの後端部に係合させて、移動ベースｃに取り付けられる（図１１参照）。
【０００５】
上記バルクカセットｄにセッティングされるバルクケースｇ内にはチップ部品ｈ、ｈ、・・・が多数収納されている。該バルクケースｇは薄い箱状をした収納部ｉと上記バルクカセットｄとの接続のための係合部ｊとを備え、チップ部品ｈ、ｈ、・・・は収納部ｉ内に収納されている。そして、係合部ｊの前端面に開口部ｋが形成され、該開口部ｋは収納部ｉに摺動自在に設けられたシャッターｌによって開閉されるようになっている（図１０参照）。
【０００６】
上記バルクケースｇはその係合部ｊが上記バルクカセットｄのガイド部ｍに係合されてバルクカセットｄに取り付けられ、そして、シャッターｌをスライドさせて開口部ｋを開口させる。このようにして、バルクケースｇがバルクカセットｄにセッティングされる。
【０００７】
しかして、バルクケースｇの開口部ｋからチップ部品ｈ、ｈ、・・・がバルクカセットｄ内の部品溜り室ｎを経て移送路ｏの供給部ｐに至る。そして、図示しない押圧部によってバルクカセットｄのフィードレバーｑが下方に押圧されると、エアー供給口ｒから正圧エアーが供給され、該エアーはエアー供給路ｓを経て部品かくはん用ノズルｔと部品移送用ノズルｕから噴射され、供給部ｐに位置しているチップ部品ｈ、ｈ、・・・がかくはんされる。
【０００８】
かかるチップ部品ｈ、ｈ、・・・のかくはんは、チップ部品ｈが供給部ｐにチップ部品ｈ、ｈ、・・・が溜まっていると塊となって移送路ｏ内への進入して行かないため、これら塊となっているチップ部品ｈ、ｈ、・・・をばらして、移送路ｏ内に進入し易くするためである。
【０００９】
そして、かくはんされたチップ部品ｈの一つが移送路ｏ内に落下し、更に、落下したチップ部品ｈは上記部品移送用ノズルｕから噴射されるエアーにより移送路ｏを通して部品供給部ｖまで送られる。
【００１０】
次いで、部品供給部ｖに供給されたチップ部品ｈ、ｈ、・・・が吸着ノズルｗ、ｗ、・・・によって取り出されてプリント基板に装着されるようになっている。
【００１１】
【発明が解決しようとする課題】
ところで、上記バルクカセットｄにおいて、チップ部品ｈ、ｈ、・・・がバルクカセットｄの部品供給部ｖに送られる時には、上記部品かくはん用ノズルｔから噴射されるエアーが移送路ｏの供給部ｐに位置しているチップ部品ｈ、ｈ、・・・をかくはんし、更には供給部ｐとバルクカセットｄ内の部品溜り室ｎとが連通しているために、エアーは部品溜り室ｎ、更には、バルクケースｇ内にまで及び、部品溜り室ｎ及びその後方に位置するチップ部品ｈ、ｈ、・・・をもかくはんしてしまう。
【００１２】
上記部品溜り室ｎ内及びその後方に位置するチップ部品ｈ、ｈ、・・・のかくはんは不必要であり、該かくはんによりチップ部品ｈ、ｈ、・・・同士の接触のために微小粒子が発生し、該微小粒子がチップ部品ｈ、ｈ、・・・に付着することによりチップ部品ｈ、ｈ、・・・が黒色に変色してしまう。そして、微小粒子が付着したままのチップ部品ｈ、ｈ、・・・をプリント基板に装着し半田付けを行うと、所謂半田濡れ性の劣化により半田付け不良を起こし、プリント基板の不良を発生させていた。
【００１３】
【課題を解決するための手段】
本発明バルクカセットは、上記した課題を解決するために、バルクケースからチップ部品を移送路に供給する供給部における部品流れ方向の上手側に位置した部品溜り室内に上端が固定されると共に他端が自由端とされた垂下体を設けたものである。
【００１４】
【作用】
従って、本発明バルクカセットによれば、チップ部品を供給するためのエアーによってチップ部品がかくはんされる時に、垂下体が部品溜り室内のチップ部品のかくはんに対する壁として機能するため、不必要なかくはんが制御され、チップ部品同士の接触のための微小粒子はほとんど発生せず、該微小粒子がチップ部品に付着することによるチップ部品の黒化が未然に防止され、延いてはチップ部品のプリント基板への半田付け不良を発生させることもない。
【００１５】
【実施例】
以下に、本発明バルクカセットの詳細を図示した実施の一例に従って説明する。
【００１６】
バルクケース１は上記従来例におけるバルクケースｇと同じものであり、薄い箱状をした収納部２と該収納部２の一端部に後述するバルクカセットに取り付けるための連結部となる係合部３とが一体に形成されている。
【００１７】
該係合部３には収納部２の内外を連通させる開口４が形成されており、該開口４が図示しないシャッターによって開閉されるようになっている（図１参照）。このようなバルクケース１内にバルク状態のチップ部品５、５、・・・が収納されている。そして、バルクケース１はバルクカセット６に対して傾斜角でほゞ４５度で取り付けられ、図示しないシャッターが開けられると開口４が開放されて、チップ部品５、５、・・・がバルクカセット６内に供給されるようになっている。
【００１８】
そして、バルクケース１がバルクカセット６に取り付けられると、チップ部品５、５、・・・がバルクケース１の係合部３と隣接するバルクカセット６内の部品溜り室７を経て部品搬送路としての移送路８の入口である供給部９に供給される。
【００１９】
部品溜り室７は左右方向にやや扁平な直方体状の空間で、その全体が前方に行くに従い下方に変位するように傾斜するように形成されており、これに連続する上記供給部９及び移送路８の上手側端部も前方に行くに従い下方に変位するように形成されている。
【００２０】
そして、部品溜り室７を形成する壁のうち、後端壁１０には上記バルクケース１が取着されたときにその開口４と連通する部品供給孔１１が形成されている（図１参照）。
【００２１】
バルクカセット６の上記部品溜り室７内には３つの連鎖状の垂下体１２、１２、１２が垂設されている。
【００２２】
垂下体１２はステンレスから成る瓢箪状をした各駒１３、１３、・・・が連鎖状に連結されて形成されている。
【００２３】
垂下体１２の各駒１３は小径で球状の頭部１３ａと該頭部１３ａの下側でこれより大径で球状の下部１３ｂとからなり、該下部１３ｂにはその底面に開口する球状受部１３ｃが形成されている（図３参照）。
【００２４】
球状受部１３ｃは上記頭部１３ａの外径より僅かに大きい内径を有し、また、その開口１３ｄは上記頭部１３ａの外径よりやや小さく形成されており、一の駒１３の球状受部１３ｃに他の駒１３の頭部１３ａを内嵌したときに、他の駒１３が一の駒１３から容易には抜けないように保持されると共に、他の駒１３が一の駒１３に対して揺動自在に支持される。
【００２５】
このようにして複数の駒１３、１３、・・・が連鎖状に連結されて垂下体１２が形成されている。
【００２６】
尚、各駒１３、１３、・・・は上記のようなステンレスに限らず、合成樹脂等でも良いが、その自重により垂下体１２がほゞ垂下状になり、かつ、後述するようにチップ部品５、５、・・・がかくはんされて垂下体１２に衝突したときに、垂下体１２が容易に動かない程度の質量がある材質のものが好ましい。また、逆に、駒１３の質量が大きすぎると後述するようにバルクケース１から部品溜り室７内にチップ部品５、５、・・・が進入するのに抵抗となってしまい好ましくない。更に言えば、各駒１３、１３、・・・はチップ部品５、５、・・・との衝突により微小粒子が生じないものが良い。そこで、駒１３の材質はこのようなことを考慮して決定すべきであり、本実施例のようにステンレスが好ましい。
【００２７】
そして、垂下体１２の最も上側に位置する駒１３の頭部１３ａが上記部品溜り室７を形成する上壁１４又は上記後端壁１０に形成された支持凹部１４ａ、１０ａ、１０ａに内嵌されることにより、各垂下体１２が部品溜り室７内にそれぞれ垂設される（図４参照）。
【００２８】
これら支持凹部１４ａ、１０ａ、１０ａは、各駒１３の下部に形成された球状受部１３ｃとほゞ同じ大きさに形成されており、垂下体１２の上端の駒１３の頭部１３ａを内嵌したときに、垂下体１２は上記上壁１４及び後端壁１０から容易には抜けないように、かつ、揺動自在に支持される。
【００２９】
部品溜り室１０を形成する壁のうち、上壁１４は前方に行くに従い下方へ変位するように傾斜し、また、後端壁１０は後斜め上方を向くように傾斜していて、上記支持凹部１４ａは上壁１４の最も後端寄り位置に、また、支持凹部１０ａ、１０ａは後端壁１０の上端部と部品供給孔１１との間の上下方向に適宜離間した位置にそれぞれ形成されている。
【００３０】
また、支持凹部１４ａ、１０ａ、１０ａは、部品溜り室７の左右方向におけるほゞ中央に形成され、従って、３つの垂下体１２、１２、１２は前後方向に一列に配設されていると共に、これら垂下体１２、１２、１２の各下端の駒１３、１３、１３の位置は高さ方向においてほゞ同じになっており、また、最も上手側の垂下体１２の下端の駒１３と部品溜り室７の底面との間には適宜な間隔が形成され、該間隙をチップ部品５、５、・・・が通過できるようになっている。
【００３１】
しかして、バルクケース１からバルクカセット６の部品供給孔１１を通して部品溜り室７内に進入したチップ部品５、５、・・・は、部品溜り室７、供給部９を流れ、移送路８の上手側部分から溜まって行き、供給部９及び部品溜り室７の下側部分までチップ部品５、５、・・・が入れられる（図５、図６参照）。
【００３２】
そして、垂下体１２、１２、１２の下端の駒１３、１３、１３までチップ部品５、５、・・・が入れられると、今度は部品供給孔１１に近接した垂下体１２が壁となって、その前方へはチップ部品５、５、・・・は進入せず、該垂下体１２の後方にチップ部品５、５、・・・が入れられ、その前方には空間が残った状態とされる（図６参照）。また、部品供給孔１１に近接した垂下体１２は部品溜り室７内に流入して来たチップ部品５、５、・・・によってやや前方に押圧され、その下端が前方へ偏倚するがその自重とチップ部品５、５、・・・の押圧力とがつりあった状態で停止される。
【００３３】
この状態がチップ部品５、５、・・・の後述する部品供給部ヘの移送の待機状態である（図６参照）。
【００３４】
次に、図示しない部品装着機の押圧部がフィードレバー１５を押圧すると、上記チップ部品５、５、・・・が一個宛部品供給部１６に供給される。即ち、フィードレバー１５が押圧されると、エアー供給口１７に接続された図示しない正圧エアー供給装置から正圧エアーが供給され、該正圧エアーによってチップ部品５、５、・・・が移送路８を通って部品供給部１６に供給される。
【００３５】
上記エアー供給口１７から内部へ向かって延びるエアー供給路１８が形成され、該エアー供給路１８はその先端で２つに分岐され、その一方は上記移送路８の供給部９下面に開口した部品かくはん用ノズル１９に接続され、他方は移送路８の中間部の下面に部品供給部１６側を向いて開口した部品移送用ノズル２０に接続されている。尚、上記エアー供給路１８のエアー供給口１７寄りの位置にはチェック弁２１が介挿されており、エアー供給路１８内に供給されたエアーのエアー供給口１７側への逆流を防止するようになっている（図１参照）。
【００３６】
そして、上記エアー供給口１７から正圧エアーが供給されると、該エアーはエアー供給路１８を経て部品かくはん用ノズル１９と部品移送用ノズル２０から噴射され、供給部９に位置しているチップ部品５、５、・・・がかくはんされ（図７参照）、かつ、そのうちの一５が移送路８に落下して行き、該チップ部品５が上記部品移送用ノズル２０から噴射されるエアーにより部品供給部１６まで送られる。
【００３７】
ところで、上記部品かくはん用ノズル１９から噴射されたエアーは、供給部９に位置するチップ部品５、５、・・・をかくはんし移送路８に落下させるためには必要であるが、供給部９からバルクカセット６内の部品溜り室７及びその後方に位置するバルクケース１内にまで不必要なエアーが及んでしまう。
【００３８】
しかしながら、部品溜り室７内には上記垂下体１２、１２、１２が設けられており、これらが、チップ部品５、５、・・・のかくはんを抑制する壁として機能するために部品溜り室７内におけるチップ部品５、５、・・・の不必要なかくはんが抑制される。
【００３９】
即ち、部品かくはん用ノズル１９から噴射されたエアーは供給部９を通って部品溜り室７内に下方から流入し、その際、チップ部品５、５、・・・をかくはんすることになるが、このエアーにより吹き上げられたチップ部品５、５、・・・は上記各垂下体１２、１２、１２のそれぞれの前方の空間においてかくはんされ、これら垂下体１２、１２、１２が壁となってかくはんされたチップ部品５、５、・・・が垂下体１２、１２、１２の後方、特に、バルクケース１側へ移動されることはない。
【００４０】
これにより、部品溜り室７内のチップ部品５、５、・・・のうち供給部９近傍のものだけがかくはんされることになり、移送路８内への進入を容易するためのかくはんが必要なチップ部品５、５、・・・以外のチップ部品５、５、・・・を無用にかくはんしてしまうことはない（図７参照）。
【００４１】
従って、部品溜り室７内、更には、その後方においてはエアーのかくはんによるチップ部品５、５、・・・同士の無用な接触がほとんどなく、該接触による微小粒子の発生もほとんどない。
【００４２】
部品かくはん用ノズル１９からエアーが停止されると、チップ部品５、５、・・・はその自重により供給部９及び移送路８側へ落下して下側に位置するチップ部品５が移送路８内に進入し、更に、進入したチップ部品５は上記部品移送用ノズル２０から噴射されるエアーにより移送路８を通して部品供給部１６まで送られる。
【００４３】
このようにして、チップ部品５の移送路８への供給が進むと、部品溜り室７内のチップ部品５、５、・・・が少なくなり、バルクケース１からチップ部品５、５、・・・が部品溜り室７内に進入する。
【００４４】
このとき、垂下体１２、１２、１２は揺動自在に上壁１４又は後端壁１０に支持されているので、バルクケース１内から部品溜り室７を経て供給部９へのチップ部品５、５、・・・の供給の妨げとはならない。
【００４５】
尚、バルクカセット６の部品溜り室７に垂設する垂下体１２、１２、１２の寸法は、このようなバルクカセット６により取り扱われるチップ部品５、５、・・・の大きさや部品溜り室７の大きさ等にもよるが、例えば、チップ部品５、５、・・・が１６０８Ｃタイプのセラミックコンデンサ（０．８×０．８×１．６（ｍｍ３）の直方体）や１００５タイプの抵抗器（０．５×０．４×１．０（ｍｍ３）の直方体）である場合、部品溜り室７の左右方向の厚さを約１０ｍｍとして、垂下体１２の各駒１３の下部１３ｂの外径を約５ｍｍにすると良い。また、最も上手側の垂下体１２の下端の駒１３と部品溜り室７の底面との間の間隔は約５ｍｍにされており、該間隙をチップ部品５、５、・・・がスムーズに通過できるようになっている。
【００４６】
また、垂下体１２、１２、１２の長さはこれらの下端が高さ方向においてほゞ同じ位置になるようにしたが、これらの下端の位置については必ずしも同じにする必要はなく、各垂下体１２の長さは本発明の上記機能を損なわない範囲で設定すれば良い。
【００４７】
【発明の効果】
以上に記載したところから明らかなように、本発明バルクカセットは、バルクケースからチップ部品を移送路に供給する供給部における部品流れ方向の上手側に位置した部品溜り室内にその上端がカセット内に固定されると共に他端が自由端とされた垂下体を設けたので、部品溜り室内においてチップ部品がかくはんされる時に、垂下体が部品溜り室内のチップ部品のかくはんに対する壁として機能するため、部品溜り室における垂下体の後方に位置するチップ部品に対する不必要なかくはんが抑制され、垂下体の後方におけるチップ部品同士の接触にのための微小粒子はほとんど発生せず、該微小粒子がチップ部品に付着することによるチップ部品の黒化が未然に防止され、延いてはチップ部品のプリント基板への半田付け不良を発生させることもない。
【００４８】
尚、上記実施例に示した各部の形状及び構造は、何れも本発明を実施するに際しての具体化のほんの一例を示したものにすぎず、これらによって本発明の技術的範囲が限定的に解釈されてはならないものである。
【図面の簡単な説明】
【図１】図２乃至図７と共に本発明バルクカセットの実施の一例を示すものであり、本図は内部構造の一部を示す断面図である。
【図２】バルクカセットを示す概略斜視図である。
【図３】垂下体の一部を拡大して示す断面図である。
【図４】要部を拡大して示す断面図である。
【図５】チップ部品がバルクカセットに進入して来た状態を示す要部を拡大して示す断面図である。
【図６】チップ部品がバルクカセットに充填された状態の要部を拡大して示す断面図である。
【図７】バルクカセット内のチップ部品をかくはんしている状態の要部を拡大して示す断面図である。
【図８】図９と共に部品装着機の概略を示すものであり、本図は斜視図である。
【図９】側面図である。
【図１０】バルクケースの斜視図である。
【図１１】従来のバルクカセットの内部構造の一部を示す拡大断面図である。
【符号の説明】
１  バルクケース
５  チップ部品
６  バルクカセット
７  部品溜り室
８  移送路
９  供給部
１６  部品供給部
【図１】
0003646354.tif 000002
【図２】
0003646354.tif 000003
【図３】
0003646354.tif 000004
【図４】
0003646354.tif 000005
【図５】
0003646354.tif 000006
【図６】
0003646354.tif 000007
【図７】
0003646354.tif 000008
【図８】
0003646354.tif 000009
【図９】
0003646354.tif 000010
【図１０】
0003646354.tif 000011
【図１１】
0003646354.tif 000012